(57)【要約】【課題】トレーディングカードなどで対戦に使用する代理カードを発行する代理カード発行装置において、オリジナルカードに対する代理カードを作成するときに、オリジナルカードの図柄はそのままにして、新たに対戦用の代理カードを作成できるようにする。【解決手段】代理カード発行装置１は、対戦に使用可能か否かを示す対戦可否情報及び図柄情報が記録されたμチップ２１を有するオリジナルカード２と、対戦可否情報を記録可能なμチップ３１を有する代理カード３とを装着可能とし、μチップＲ／Ｗ部１５，μチップＲ／Ｗ部１７，カード印刷部１８を備える。代理カード発行装置１は、オリジナルカード２の図柄情報を読み取り、読み取った図柄情報に基づいて代理カード３に図柄を印刷し、オリジナルカード２及び代理カード３に対して対戦可否情報の読み取りあるいは書き込みを行い、代理カード３が対戦可能なときはオリジナルカード２を対戦不可に書き換える。【選択図】図１
2006094878.tif 000002
【特許請求の範囲】
【請求項１】
対戦に使用可能か否かを示す対戦可否情報及び図柄情報が記録されたオリジナルカードの代わりとして前記対戦に使用するための代理カードを発行する代理カード発行装置において、前記代理カードは、該代理カードの対戦可否情報を記録可能とし、前記代理カード発行装置は、前記オリジナルカードの図柄情報を読み取る手段と、該読み取った図柄情報に基づいて前記代理カードに図柄を印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴とする代理カード発行装置。
【請求項２】
対戦に使用可能か否かを示す対戦可否情報及びカード種類情報が記録されたオリジナルカードの代わりとして前記対戦に使用するための代理カードを発行する代理カード発行装置において、前記代理カードは、該代理カードの対戦可否情報を記録可能とし、前記代理カード発行装置は、前記オリジナルカードのカード種類に対応する図柄を記憶した記憶手段と、前記オリジナルカードのカード種類情報を読み取る手段と、該読み取ったカード種類に対応する図柄を前記記憶手段から取得して前記代理カードに印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴とする代理カード発行装置。
【請求項３】
前記オリジナルカードの対戦可否情報から該オリジナルカードが対戦使用可能かどうか判定する手段を備え、その結果、対戦使用可能と判定された場合、前記代理カードに対戦使用可能であることを示す情報を書き込み、前記オリジナルカードに対戦使用不可であることを示す情報を書き込むことを特徴とする請求項１又は２に記載の代理カード発行装置。
【請求項４】
前記オリジナルカードの対戦可否情報から該オリジナルカードが対戦使用可能かどうか判定する手段を備え、その結果、対戦使用不可と判定された場合、前記代理カードに対戦使用不可であることを示す情報を書き込み、前記オリジナルカードに対戦使用可能であることを示す情報を書き込むことを特徴とする請求項１又は２に記載の代理カード発行装置。
【請求項５】
前記代理カードに印刷された図柄を消去する消去手段を備えていることを特徴とする請求項１又は２に記載の代理カード発行装置。
【請求項６】
前記代理カードからさらに別の代理カードを作成することを禁止する手段と、前記対戦使用不可であることを示す情報が書き込まれたオリジナルカードから代理カードを作成することを禁止する手段とを備えていることを特徴とする請求項３又は４に記載の代理カード発行装置。
【請求項７】
ＩＤ情報及び図柄情報が記録されたオリジナルカードの代わりとして対戦に使用するための代理カードを発行する代理カード発行装置において、前記代理カードは、該代理カードのＩＤ情報を記録して有し、前記代理カード発行装置は、前記オリジナルカードのＩＤ情報及び図柄情報を読み取る手段と、前記代理カードのＩＤ情報を読み取る手段と、前記読み取った図柄情報に基づいて前記代理カードに図柄を印刷する印刷手段と、前記オリジナルカードのＩＤ情報と前記代理カードのＩＤ情報とを対応させて記憶する記憶手段とを備えていることを特徴とする代理カード発行装置。
【請求項８】
ＩＤ情報及びカード種類情報が記録されたオリジナルカードの代わりとして対戦に使用するための代理カードを発行する代理カード発行装置において、前記代理カードは、該代理カードのＩＤ情報を記録して有し、前記代理カード発行装置は、前記オリジナルカードのカード種類に対応する図柄を記憶する第１の記憶手段と、前記オリジナルカードのＩＤ情報及びカード種類情報を読み取る手段と、前記代理カードのＩＤ情報を読み取る手段と、前記オリジナルカードのカード種類に対応する図柄を前記第１の記憶手段から取得して前記代理カードに印刷する印刷手段と、前記オリジナルカードのＩＤ情報と前記代理カードのＩＤ情報とを対応させて記憶する第２の記憶手段とを備えていることを特徴とする代理カード発行装置。
【請求項９】
前記オリジナルカードを保管するための複数の保管手段と、該複数の保管手段を個別に施錠あるいは開錠する施錠／開錠手段とを備え、前記複数の保管手段と前記オリジナルカードのＩＤ情報とを対応させて前記第２の記憶手段に記憶し、前記代理カードのＩＤ情報から前記第２の記憶手段を参照して前記オリジナルカードを保管する保管手段を検索し、該検索した保管手段に対応する施錠／開錠手段を開錠することを特徴とする請求項８に記載の代理カード発行装置。
【請求項１０】
前記オリジナルカードのＩＤ情報及びカード種類情報を読み取る手段を、前記複数の保管手段それぞれに設けていることを特徴とする請求項９に記載の代理カード発行装置。
【請求項１１】
少なくともＩＤ情報が記録されたオリジナルカードと、該オリジナルカードの代わりとして対戦に使用するために発行された代理カードとをチェックするためのカードチェック装置において、前記代理カードを発行したオリジナルカードのＩＤ情報を記憶した記憶手段と、オリジナルカードのＩＤ情報を読み取る手段と、該読み取ったオリジナルカードのＩＤ情報と前記記憶手段に記憶されているオリジナルカードのＩＤ情報とを比較し、その結果、両者が一致した場合にエラー処理を行う手段とを備えていることを特徴とするカードチェック装置。
【請求項１２】
請求項８乃至１０のいずれか１に記載の代理カード発行装置と通信するための通信手段を備え、前記代理カード発行装置から前記代理カードを発行したオリジナルカードのＩＤ情報を取得して前記記憶手段に記憶することを特徴とする請求項１１に記載のカードチェック装置。
【請求項１３】
ＩＤ情報及びカード種類情報が記録されたオリジナルカードと、該オリジナルカードの代わりとして対戦に使用するために発行された代理カードとをチェックするためのカードチェック装置において、前記代理カードは、該代理カードのＩＤ情報を記録して有し、前記カードチェック装置は、前記代理カードのＩＤ情報に対応するオリジナルカードのカード種類情報と前記対戦に使用するカードのデッキ構築の制限情報とを記憶した記憶手段と、オリジナルカードのＩＤ情報及びカード種類情報を読み取る手段と、代理カードのＩＤ情報を読み取る手段と、前記読み取ったオリジナルカードのカード種類と前記読み取った代理カードのＩＤ情報に対応するカード種類とを集計し、該集計結果が前記デッキ構築の制限に違反した場合にエラー処理を行う手段とを備えていることを特徴とするカードチェック装置。
【請求項１４】
請求項８乃至１０のいずれか１に記載の代理カード発行装置と通信するための通信手段を備え、前記代理カード発行装置から前記代理カードのＩＤ情報と該ＩＤ情報に対応するオリジナルカードのカード種類情報とを取得して前記記憶手段に記憶することを特徴とする請求項１３に記載のカードチェック装置。
【請求項１５】
対戦に使用可能か否かを示す対戦可否情報及びカード種類情報が記録されたオリジナルカードの代わりとして前記対戦に使用するための代理カードを発行する代理カード発行装置と、前記オリジナルカードのカード種類に対応する図柄を登録したサーバ装置とを有し、前記代理カード発行装置及びサーバ装置とが接続された代理カード発行システムにおいて、前記代理カードは、該代理カードの対戦可否情報を記録可能とし、前記代理カード発行装置は、前記オリジナルカードのカード種類情報を読み取る手段と、該読み取ったカード種類に対応する図柄を前記サーバ装置から取得して前記代理カードに印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴とする代理カード発行システム。
【請求項１６】
ＩＤ情報及びカード種類情報が記録されたオリジナルカードの代わりとして対戦に使用するための代理カードを発行する代理カード発行装置と、前記オリジナルカードのカード種類に対応する図柄を登録したサーバ装置とを有し、前記代理カード発行装置及びサーバ装置とが接続された代理カード発行システムにおいて、前記代理カードは、該代理カードのＩＤ情報を記録して有し、前記代理カード発行装置は、前記オリジナルカードのＩＤ情報及びカード種類情報を読み取る手段と、前記代理カードのＩＤ情報を読み取る手段と、前記読み取ったオリジナルカードのカード種類に対応する図柄を前記サーバ装置から取得して前記代理カードに印刷する印刷手段と、前記オリジナルカードのＩＤ情報と前記代理カードのＩＤ情報とを対応させて前記サーバ装置に登録する手段とを備えていることを特徴とする代理カード発行システム。
【発明の詳細な説明】
【技術分野】
【０００１】
本発明は、代理カード発行装置、カードチェック装置、及び代理カード発行システム、より詳細には、トレーディングカードによる対戦ゲームを行なうときにオリジナルカードの代わりに用いる代理カードの発行に関する技術である。
【背景技術】
【０００２】
トレーディングカードとは、交換やコレクションなどを目的としたカードである。カードの種類は多岐に渡り、例えば、野球やサッカーなどのスポーツ選手や、アイドルタレント、人気アニメーションのキャラクタなどが印刷されたものが存在する。このトレーディングカードは、交換やコレクション以外の用途にも、カードを用いた対戦ゲームが行なわれている。このゲームを行なう際にトレーディングカードが破損・磨耗してしまうことがあり、これを防止するためにトレーディングカードをクリアケースに入れる等の対策を講じている。しかし、クリアケースに入れたままではシャッフルやゲーム対戦を行いにくいという問題があった。
【０００３】
上述のような問題に対して、オリジナルカードの代わりとなる代理カードがあれば、この代理カードを用いてゲームを行なうことで、オリジナルカードの破損・磨耗を防ぐことができる。
【０００４】
従来、例えば、特許文献１には、ネットワークと専用端末を用いてトレーディングカードの発行やカード図柄の交換を行えるようにしたものが開示されている。これは、図柄を印刷可能で且つ印刷された図柄を特定するためのＩＤを記録可能なカードと、カード発行や図柄の交換作業を行うカード印刷端末と、該端末の制御や図柄の管理を行うホストコンピュータとから構成されたシステムにより、２つのカードの図柄やカード内のＩＤ情報を交換できるようにしたものである。
【特許文献１】特開２００３−１４５９６２号公報
【発明の開示】
【発明が解決しようとする課題】
【０００５】
しかしながら、上記特許文献１に記載の発明では、オリジナルカードの代わりとなる代理カードを作成することができるが、カードの図柄を交換することが前提であるため、新たなカード（代理カード）を作成すると、オリジナルカードの図柄が失われるなど、オリジナルカードの価値や希少性を失うという問題がある。
【０００６】
本発明は、上述のごとき実情に鑑みてなされたものであり、オリジナルカードに対する代理カードを作成するときに、オリジナルカードの図柄はそのままにして、新たに対戦用の代理カードを作成できるようにすること、
また、代理カードを対戦に使用するときはオリジナルカードを対戦に使用できないようにすることにより、対戦に使えるカードをオリジナルカードの枚数以上に増やすことができないようにし、オリジナルカードの価値や希少性を損なわないようにすること、を目的としてなされたものである。
【課題を解決するための手段】
【０００７】
上記課題を解決するために、本発明の第１の技術手段は、対戦に使用可能か否かを示す対戦可否情報及び図柄情報が記録されたオリジナルカードの代わりとして前記対戦に使用するための代理カードを発行する代理カード発行装置において、前記代理カードは、該代理カードの対戦可否情報を記録可能とし、前記代理カード発行装置は、前記オリジナルカードの図柄情報を読み取る手段と、該読み取った図柄情報に基づいて前記代理カードに図柄を印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴としたものである。
【０００８】
第２の技術手段は、対戦に使用可能か否かを示す対戦可否情報及びカード種類情報が記録されたオリジナルカードの代わりとして前記対戦に使用するための代理カードを発行する代理カード発行装置において、前記代理カードは、該代理カードの対戦可否情報を記録可能とし、前記代理カード発行装置は、前記オリジナルカードのカード種類に対応する図柄を記憶した記憶手段と、前記オリジナルカードのカード種類情報を読み取る手段と、該読み取ったカード種類に対応する図柄を前記記憶手段から取得して前記代理カードに印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴としたものである。
【０００９】
第３の技術手段は、第１又は第２の技術手段において、前記オリジナルカードの対戦可否情報から該オリジナルカードが対戦使用可能かどうか判定する手段を備え、その結果、対戦使用可能と判定された場合、前記代理カードに対戦使用可能であることを示す情報を書き込み、前記オリジナルカードに対戦使用不可であることを示す情報を書き込むことを特徴としたものである。
【００１０】
第４の技術手段は、第１又は第２の技術手段において、前記オリジナルカードの対戦可否情報から該オリジナルカードが対戦使用可能かどうか判定する手段を備え、その結果、対戦使用不可と判定された場合、前記代理カードに対戦使用不可であることを示す情報を書き込み、前記オリジナルカードに対戦使用可能であることを示す情報を書き込むことを特徴としたものである。
【００１１】
第５の技術手段は、第１又は第２の技術手段において、前記代理カードに印刷された図柄を消去する消去手段を備えていることを特徴としたものである。
【００１２】
第６の技術手段は、第３又は第４の技術手段において、前記代理カードからさらに別の代理カードを作成することを禁止する手段と、前記対戦使用不可であることを示す情報が書き込まれたオリジナルカードから代理カードを作成することを禁止する手段とを備えていることを特徴としたものである。
【００１３】
第７の技術手段は、ＩＤ情報及び図柄情報が記録されたオリジナルカードの代わりとして対戦に使用するための代理カードを発行する代理カード発行装置において、前記代理カードは、該代理カードのＩＤ情報を記録して有し、前記代理カード発行装置は、前記オリジナルカードのＩＤ情報及び図柄情報を読み取る手段と、前記代理カードのＩＤ情報を読み取る手段と、前記読み取った図柄情報に基づいて前記代理カードに図柄を印刷する印刷手段と、前記オリジナルカードのＩＤ情報と前記代理カードのＩＤ情報とを対応させて記憶する記憶手段とを備えていることを特徴としたものである。
【００１４】
第８の技術手段は、ＩＤ情報及びカード種類情報が記録されたオリジナルカードの代わりとして対戦に使用するための代理カードを発行する代理カード発行装置において、前記代理カードは、該代理カードのＩＤ情報を記録して有し、前記代理カード発行装置は、前記オリジナルカードのカード種類に対応する図柄を記憶する第１の記憶手段と、前記オリジナルカードのＩＤ情報及びカード種類情報を読み取る手段と、前記代理カードのＩＤ情報を読み取る手段と、前記オリジナルカードのカード種類に対応する図柄を前記第１の記憶手段から取得して前記代理カードに印刷する印刷手段と、前記オリジナルカードのＩＤ情報と前記代理カードのＩＤ情報とを対応させて記憶する第２の記憶手段とを備えていることを特徴としたものである。
【００１５】
第９の技術手段は、第８の技術手段において、前記オリジナルカードを保管するための複数の保管手段と、該複数の保管手段を個別に施錠あるいは開錠する施錠／開錠手段とを備え、前記複数の保管手段と前記オリジナルカードのＩＤ情報とを対応させて前記第２の記憶手段に記憶し、前記代理カードのＩＤ情報から前記第２の記憶手段を参照して前記オリジナルカードを保管する保管手段を検索し、該検索した保管手段に対応する施錠／開錠手段を開錠することを特徴としたものである。
【００１６】
第１０の技術手段は、第９の技術手段において、前記オリジナルカードのＩＤ情報及びカード種類情報を読み取る手段を、前記複数の保管手段それぞれに設けていることを特徴としたものである。
【００１７】
第１１の技術手段は、少なくともＩＤ情報が記録されたオリジナルカードと、該オリジナルカードの代わりとして対戦に使用するために発行された代理カードとをチェックするためのカードチェック装置において、前記代理カードを発行したオリジナルカードのＩＤ情報を記憶した記憶手段と、オリジナルカードのＩＤ情報を読み取る手段と、該読み取ったオリジナルカードのＩＤ情報と前記記憶手段に記憶されているオリジナルカードのＩＤ情報とを比較し、その結果、両者が一致した場合にエラー処理を行う手段とを備えていることを特徴としたものである。
【００１８】
第１２の技術手段は、第１１の技術手段において、第８乃至第１０のいずれか１の代理カード発行装置と通信するための通信手段を備え、前記代理カード発行装置から前記代理カードを発行したオリジナルカードのＩＤ情報を取得して前記記憶手段に記憶することを特徴としたものである。
【００１９】
第１３の技術手段は、ＩＤ情報及びカード種類情報が記録されたオリジナルカードと、該オリジナルカードの代わりとして対戦に使用するために発行された代理カードとをチェックするためのカードチェック装置において、前記代理カードは、該代理カードのＩＤ情報を記録して有し、前記カードチェック装置は、前記代理カードのＩＤ情報に対応するオリジナルカードのカード種類情報と前記対戦に使用するカードのデッキ構築の制限情報とを記憶した記憶手段と、オリジナルカードのＩＤ情報及びカード種類情報を読み取る手段と、代理カードのＩＤ情報を読み取る手段と、前記読み取ったオリジナルカードのカード種類と前記読み取った代理カードのＩＤ情報に対応するカード種類とを集計し、該集計結果が前記デッキ構築の制限に違反した場合にエラー処理を行う手段とを備えていることを特徴としたものである。
【００２０】
第１４の技術手段は、第１３の技術手段において、第８乃至第１０のいずれか１の代理カード発行装置と通信するための通信手段を備え、前記代理カード発行装置から前記代理カードのＩＤ情報と該ＩＤ情報に対応するオリジナルカードのカード種類情報とを取得して前記記憶手段に記憶することを特徴としたものである。
【００２１】
第１５の技術手段は、対戦に使用可能か否かを示す対戦可否情報及びカード種類情報が記録されたオリジナルカードの代わりとして前記対戦に使用するための代理カードを発行する代理カード発行装置と、前記オリジナルカードのカード種類に対応する図柄を登録したサーバ装置とを有し、前記代理カード発行装置及びサーバ装置とが接続された代理カード発行システムにおいて、前記代理カードは、該代理カードの対戦可否情報を記録可能とし、前記代理カード発行装置は、前記オリジナルカードのカード種類情報を読み取る手段と、該読み取ったカード種類に対応する図柄を前記サーバ装置から取得して前記代理カードに印刷する印刷手段と、前記オリジナルカード及び前記代理カードに対して対戦可否情報の読み取りあるいは書き込みを行う読取／書込手段とを備え、前記オリジナルカード及び前記代理カードの対戦可否情報を書き換えできるようにしたことを特徴としたものである。
【００２２】
第１６の技術手段は、ＩＤ情報及びカード種類情報が記録されたオリジナルカードの代わりとして対戦に使用するための代理カードを発行する代理カード発行装置と、前記オリジナルカードのカード種類に対応する図柄を登録したサーバ装置とを有し、前記代理カード発行装置及びサーバ装置とが接続された代理カード発行システムにおいて、前記代理カードは、該代理カードのＩＤ情報を記録して有し、前記代理カード発行装置は、前記オリジナルカードのＩＤ情報及びカード種類情報を読み取る手段と、前記代理カードのＩＤ情報を読み取る手段と、前記読み取ったオリジナルカードのカード種類に対応する図柄を前記サーバ装置から取得して前記代理カードに印刷する印刷手段と、前記オリジナルカードのＩＤ情報と前記代理カードのＩＤ情報とを対応させて前記サーバ装置に登録する手段とを備えていることを特徴としたものである。
【発明の効果】
【００２３】
本発明によれば、オリジナルカードに対する代理カードを作成するときに、オリジナルカードの図柄はそのままにして、新たに対戦用の代理カードを作成できるため、この代理カードを用いてゲームを行なうことで、オリジナルカードの破損・磨耗などを防ぐことができる。
また、代理カードを対戦に使用するときはオリジナルカードを対戦に使用できないようにすることにより、対戦に使えるカードをオリジナルカードの枚数以上に増やすことができないようにしているため、オリジナルカードの価値や希少性を損なうことがない。
【発明を実施するための最良の形態】
【００２４】
図１は、本発明の一実施形態に係る代理カード発行装置及びカードの構成例を示す図である。図１（Ａ）は、本発明の代理カード発行装置の構成例を示すブロック図で、図中、１は代理カード発行装置で、該代理カード発行装置１は、ＣＰＵ１１，ＲＯＭ１２，ＲＡＭ１３，オリジナルカード装着部１４，μチップリーダ／ライタ部（以下、μチップＲ／Ｗ部）１５，代理カード装着部１６，μチップＲ／Ｗ部１７，カード印刷部１８，カード印刷消去部１９を備えている。
【００２５】
オリジナルカード２は、各種情報を書き換え可能に記録するためのμチップ２１を有し、カードの表面及び／又は裏面には図柄が印刷されている。代理カード３は、オリジナルカード２の代わりに対戦に使用するためのカードで、オリジナルカード２と同様にμチップ３１を有し、カードの表面及び／又は裏面に図柄を印刷可能とする。尚、上記μチップとは無線を利用した小型のＩＣチップ（非接触ＩＣタグ）であるが、これに限定されず、接触型ＩＣタグなどを利用してもよい。尚、オリジナルカード２のμチップ２１及び代理カード３のμチップ３１にはそれぞれ固有のＩＤ情報（図示せず）が記録され、オリジナルか代理かの判定を行えるようにしている。
【００２６】
図１（Ｂ）は、オリジナルカード２のμチップ２１及び代理カード３のμチップ３１内に記録されている情報の一例を示す図である。オリジナルカード２のμチップ２１には、オリジナルカード２が対戦に使用可能か否かを示す対戦可否情報（以下、対戦使用可能・不可情報という）２１ａ，オリジナルカード２の図柄などのカード図柄情報２１ｂが記録され、代理カード３のμチップ３１には、代理カード３の対戦使用可能・不可情報３１ａが記録されている。
【００２７】
図１（Ａ）に示す代理カード発行装置１において、ＣＰＵ１１，ＲＯＭ１２，及びＲＡＭ１３は装置全体を制御するための制御部を構成する。代理カード発行装置１としての機能を実行するための代理カード発行処理プログラムがＲＯＭ１２に格納されており、当該プログラムはＣＰＵ１１によりＲＡＭ１３に読み出されて実行される。
【００２８】
μチップＲ／Ｗ部１５は、オリジナルカード２のカード図柄情報２１ｂを読み取る。カード印刷部１８は、μチップＲ／Ｗ部１５が読み取ったカード図柄情報２１ｂに基づいて代理カード３に図柄を印刷する。この際、代理カード３に印刷する図柄は必ずしもオリジナルカード２の図柄と同じでなくてもよく、例えば、オリジナルカード２の代理カードであることを示す文字列や、オリジナルカード２の図柄を簡略化した図柄や、印刷品質（解像度）を落とした図柄であってもよく、オリジナルカード２の代理カードであることが分かるように印刷されていればよい。
【００２９】
また、カード印刷消去部１９は、カード印刷部１８により代理カード３に印刷された図柄を消去する手段である。代理カード３が対戦使用不可に設定されると、カード印刷消去部１９により代理カード３の図柄は消去される。尚、代理カード３を再利用等しない場合には、図柄を消去せずに、その図柄上に「×」や「使用不可」などの印字をして対戦使用不可であることを示すようにしてもよい。
【００３０】
また、μチップＲ／Ｗ部１５は、オリジナルカード２に対して対戦使用可能・不可情報２１ａの読み取りあるいは書き込みを行う。μチップＲ／Ｗ部１７は、代理カード３に対して対戦使用可能・不可情報３１ａの読み取りあるいは書き込みを行う。尚、μチップＲ／Ｗ部１５及びカード印刷部１８によるカード図柄情報の読み取り処理／図柄の印刷処理と、μチップＲ／Ｗ部１５及びμチップＲ／Ｗ部１７による対戦使用可能・不可情報の読み取り／書き込み処理とはその処理順序が前後してもよい。
【００３１】
本発明の代理カード発行装置１は、オリジナルカード２及び代理カード３の対戦使用可能・不可情報を書き換えできるように構成されている。尚、本実施形態では、オリジナルカード２用のμチップＲ／Ｗ部１５、代理カード３用のμチップＲ／Ｗ部１７の複数のリーダ／ライタを備える構成としているが、１つのμチップＲ／Ｗ部によって両方のカードを順番にリード／ライト処理するように構成してもよい。
【００３２】
また、図柄印刷処理の別の実施形態として、オリジナルカード２のμチップ２１に、オリジナルカード２の対戦使用可能・不可情報とオリジナルカード２のカード種類情報とを記録し、代理カード３のμチップ３１に、代理カード３の対戦使用可能・不可情報を記録するようにしてもよい。本実施形態の場合、ＲＯＭ１２にはオリジナルカード２のカード種類に対応する図柄を記憶しておく。μチップＲ／Ｗ部１５はオリジナルカード２のカード種類情報を読み取り、カード印刷部１８はμチップＲ／Ｗ部１５が読み取ったカード種類に対応する図柄をＲＯＭ１２から取得して代理カード３に印刷する。
【００３３】
図２は、代理カード発行装置１に挿入する前のオリジナルカード２と代理カード３の状態と、代理カード発行装置１から排出した後のオリジナルカード２と代理カード３の状態の一例を示す図である。図２（Ａ）は代理カード発行装置１に挿入する前のオリジナルカード２と代理カード３の状態の一例を示す図で、図２（Ｂ）は代理カード発行装置１から排出した後のオリジナルカード２と代理カード３の状態の一例を示す図である。
【００３４】
図２（Ａ）において、オリジナルカード２のμチップ２１には、カード図柄情報２１ｂ，対戦使用可能であることを示す対戦使用可能情報２１ｃが記録されている。また、代理カード３のμチップ３１には、対戦使用不可であることを示す対戦使用不可情報３１ｂが記録され、この時点では図柄は印刷されていない。図２（Ａ）に示す状態のオリジナルカード２及び代理カード３を、図１（Ａ）に示す代理カード発行装置１に挿入する。代理カード発行装置１のμチップＲ／Ｗ部１５は、オリジナルカード２のカード図柄情報２１ｂを読み取り、カード印刷部１８は、μチップＲ／Ｗ部１５が読み取ったカード図柄情報２１ｂに基づいて代理カード３に図柄を印刷する。この際、オリジナルカード２に印刷されている図柄はそのままで消去されることはない。
【００３５】
μチップＲ／Ｗ部１５は、オリジナルカード２の対戦使用可能・不可情報を読み取って、このオリジナルカード２が対戦使用可能かどうかを判定する処理を行う。この判定処理はＣＰＵ１１により実行される。図２（Ａ）に示すオリジナルカード２の場合、対戦使用可能情報２１ｃが記録されているため、オリジナルカード２は対戦使用可能と判定される。この場合、代理カード発行装置１のμチップＲ／Ｗ部１７は、代理カード３に対して対戦使用可能情報３１ｃを書き込み、μチップＲ／Ｗ部１５は、オリジナルカード２に対して対戦使用不可情報２１ｄを書き込む。この状態を図２（Ｂ）に示す。代理カード発行装置１は、上述の図柄印刷処理及び対戦使用可能・不可情報の書き換え処理を行った後に各カードを排出する。
【００３６】
図２（Ｂ）に示すように、オリジナルカード２のμチップ２１には対戦使用不可情報２１ｄが書き込まれ、代理カード３のμチップ３１には対戦使用可能情報３１ｃが書き込まれ、代理カード３の表面及び／又は裏面には図柄３２が印刷されている。これにより、代理カード３は対戦使用可能に設定され、オリジナルカード２は対戦使用不可に設定される。
【００３７】
ここで、代理カード発行装置１は、代理カード３からさらに別の代理カードを作成することを禁止する手段と、対戦使用不可情報２１ｄが書き込まれたオリジナルカード２から代理カードを作成することを禁止する手段とを備え、代理カード３からさらに別の代理カードが作成されたり、対戦使用不可に設定されたオリジナルカードから代理カードが作成されることがないようにしている。
【００３８】
また、上述した代理カードとオリジナルカードは同時に対戦使用可能に設定されることはなく、一方が対戦使用可能に設定されているときは、他方は対戦使用不可に設定されるため、対戦に使用できる代理カードがオリジナルカードの枚数以上に発行されることがなくなり、オリジナルカードの価値や希少性等が損なわれることがない。
【００３９】
図３は、代理カード発行装置１に挿入する前のオリジナルカード２と代理カード３の状態と、代理カード発行装置１から排出した後のオリジナルカード２と代理カード３の状態の他の例を示す図である。図３（Ａ）は代理カード発行装置１に挿入する前のオリジナルカード２と代理カード３の状態の他の例を示す図で、図３（Ｂ）は代理カード発行装置１から排出した後のオリジナルカード２と代理カード３の状態の他の例を示す図である。
【００４０】
図３（Ａ）において、オリジナルカード２のμチップ２１には、カード図柄情報２１ｂ，対戦使用不可であることを示す対戦使用不可情報２１ｄが記録されている。また、代理カード３のμチップ３１には、対戦使用可能であることを示す対戦使用可能情報３１ｃが記録され、カードの表面及び／又は裏面には図柄３２が印刷されている。図３（Ａ）に示す状態のオリジナルカード２及び代理カード３を、図１（Ａ）に示す代理カード発行装置１に挿入する。代理カード発行装置１のカード印刷消去部１９は、代理カード３に印刷されている図柄３２を消去する。
【００４１】
μチップＲ／Ｗ部１５は、オリジナルカード２の対戦使用可能・不可情報を読み取って、このオリジナルカード２が対戦使用可能かどうかを判定する処理を行う。この判定処理はＣＰＵ１１により実行される。図３（Ａ）に示すオリジナルカード２の場合、対戦使用不可情報２１ｄが記録されているため、オリジナルカード２は対戦使用不可と判定される。この場合、代理カード発行装置１のμチップＲ／Ｗ部１７は、代理カード３に対して対戦使用不可情報３１ｂを書き込み、μチップＲ／Ｗ部１５は、オリジナルカード２に対して対戦使用可能情報２１ｃを書き込む。この状態を図３（Ｂ）に示す。代理カード発行装置１は、上述の図柄印刷処理及び対戦使用可能・不可情報の書き換え処理を行った後に各カードを排出する。
【００４２】
図３（Ｂ）に示すように、オリジナルカード２のμチップ２１には対戦使用可能情報２１ｃが書き込まれ、代理カード３のμチップ３１には対戦使用不可情報３１ｂが書き込まれ、代理カード３の表面及び／又は裏面からは図柄３２が消去されている。これにより、代理カード３は対戦使用不可に設定され、オリジナルカード２は対戦使用可能に設定される。
【００４３】
図４は、図１（Ａ）に示した代理カード発行装置１による代理カード発行処理の一例を説明するためのフロー図である。まず、オリジナルカード２をオリジナルカード装着部１４に装着し（ステップＳ１）、代理カード３を代理カード装着部１６に装着する（ステップＳ２）。代理カード発行装置１は、オリジナルカード２のμチップ２１を読み取る（ステップＳ３）。読み取ったμチップ２１に記録されているＩＤ情報からオリジナルカード２がオリジナルカードかどうかを判定し（ステップＳ４）、オリジナルカードと判定された場合（ＹＥＳの場合）、オリジナルカード２が対戦使用可能かどうかを判定し（ステップＳ５）、対戦使用可能と判定された場合（ＹＥＳの場合）、代理カード３のμチップ３１を読み取る（ステップＳ６）。
【００４４】
また、上記ステップＳ４において、オリジナルカード２がオリジナルカードでないと判定された場合（ＮＯの場合）、上記ステップＳ５において、オリジナルカード２が対戦使用不可と判定された場合（ＮＯの場合）、エラー処理を行う（ステップＳ７）。
【００４５】
次に、代理カード発行装置１は、ステップＳ６で読み取ったμチップ３１に記録されているＩＤ情報から代理カード３が代理カードかどうかを判定し（ステップＳ８）、代理カードと判定された場合（ＹＥＳの場合）、代理カード３に対戦使用可能情報を書き込む（ステップＳ９）。一方、上記ステップＳ８において、代理カード３が代理カードでないと判定された場合（ＮＯの場合）、ステップＳ７に移行してエラー処理を行う。
【００４６】
次に、代理カード発行装置１は、オリジナルカード２に記録されているカード図柄情報を読み取り（ステップＳ１０）、読み取った図柄を代理カード３に印刷し（ステップＳ１１）、オリジナルカード２に対戦使用不可情報を書き込む（ステップＳ１２）。
【００４７】
図５は、図１（Ａ）に示した代理カード発行装置１による代理カード回収処理の一例を説明するためのフロー図である。まず、オリジナルカード２をオリジナルカード装着部１４に装着し（ステップＳ２１）、代理カード３を代理カード装着部１６に装着する（ステップＳ２２）。代理カード発行装置１は、オリジナルカード２のμチップ２１を読み取る（ステップＳ２３）。読み取ったμチップ２１に記録されているＩＤ情報からオリジナルカード２がオリジナルカードかどうかを判定し（ステップＳ２４）、オリジナルカードと判定された場合（ＹＥＳの場合）、オリジナルカード２が対戦使用不可かどうかを判定し（ステップＳ２５）、対戦使用不可と判定された場合（ＹＥＳの場合）、代理カード３のμチップ３１を読み取る（ステップＳ２６）。
【００４８】
また、上記ステップＳ２４において、オリジナルカード２がオリジナルカードでないと判定された場合（ＮＯの場合）、上記ステップＳ２５において、オリジナルカード２が対戦使用可能と判定された場合（ＮＯの場合）、エラー処理を行う（ステップＳ２７）。
【００４９】
次に、代理カード発行装置１は、ステップＳ２６で読み取ったμチップ３１に記録されているＩＤ情報から代理カード３が代理カードかどうかを判定し（ステップＳ２８）、代理カードと判定された場合（ＹＥＳの場合）、代理カード３に対戦使用不可情報を書き込む（ステップＳ２９）。一方、上記ステップＳ２８において、代理カード３が代理カードでないと判定された場合（ＮＯの場合）、ステップＳ２７に移行してエラー処理を行う。
【００５０】
次に、代理カード発行装置１は、代理カード３に印刷されている図柄を消去し（ステップＳ３０）、オリジナルカード２に対戦使用可能情報を書き込む（ステップＳ３１）。
【００５１】
図６は、本発明の他の実施形態に係る代理カード発行装置、カードチェック装置、及びカードの構成例を示す図である。図６（Ａ）は、本発明の代理カード発行装置の他の構成例を示すブロック図で、図中、４は代理カード発行装置で、該代理カード発行装置４は、ＣＰＵ４１，ＲＯＭ４２，ＲＡＭ４３，フラッシュメモリ４４，代理カード発行／返却部４５，μチップ読取部４６，カード印刷部４７，カード印刷消去部４８，トレイ収納部４９１〜４９ｎ，トレイ５０１〜５０ｎ，μチップ読取部５１１〜５１ｎ，ロック手段５２１〜５２ｎを備えている。本実施形態の代理カード発行装置４は、オリジナルカードが備えるμチップを読み取るためのμチップ読取部５１１〜５１ｎを、トレイ収納部４９１〜４９ｎそれぞれに設けている。
【００５２】
図６（Ｂ）は、本発明のカードチェック装置の構成例を示すブロック図で、図中、６はカードチェック装置で、該カードチェック装置６は、ＣＰＵ６１，ＲＯＭ６２，ＲＡＭ６３，通信インタフェース（通信Ｉ／Ｆ）６４，フラッシュメモリ６５，カード収納部６６，μチップ読取部６７を備えている。
【００５３】
図６（Ｃ）は、オリジナルカードの構成例を示す図で、図中、７はオリジナルカードで、該オリジナルカード７は、カードＩＤ７１ａ，カード種類（又はカード図柄）情報７１ｂを記録したμチップ７１を備え、カードの表面及び／又は裏面には図柄が印刷されている。図６（Ｄ）は、代理カードの構成例を示す図で、図中、８は代理カードで、該代理カード８は、カードＩＤ８１ａを記録したμチップ８１を備え、カードの表面及び／又は裏面には図柄を印刷可能とする。本実施形態の代理カード発行装置４は、オリジナルカード７が備えるμチップ７１、代理カード８が備えるμチップ８１の読み取りのみを行い、書き換えを行わない構成としている。
【００５４】
図６（Ａ）に示す代理カード発行装置４において、ＣＰＵ４１，ＲＯＭ４２，及びＲＡＭ４３は装置全体を制御するための制御部を構成する。代理カード発行装置４としての機能を実行するための代理カード発行処理プログラムがＲＯＭ４２に格納されており、当該プログラムはＣＰＵ４１によりＲＡＭ４３に読み出されて実行される。
【００５５】
代理カード８の発行時において、オリジナルカード７は、オリジナルカード７を保管するための保管手段であるトレイ収納部４９１〜４９ｎ（以下、トレイ収納部４９で代表する）のいずれかに収納され、発行前の代理カード８は代理カード発行／返却部４５に収納されている。
【００５６】
オリジナルカード７のμチップ７１にカードＩＤ７１ａ及びカード図柄情報７１ｂが記録されている場合、μチップ読取部５１１〜５１ｎ（以下、μチップ読取部５１で代表する）は、オリジナルカード７のカードＩＤ７１ａ及びカード図柄情報７１ｂを読み取り、μチップ読取部４６は、代理カード８のカードＩＤ８１ａを読み取る。カード印刷部４７は、μチップ読取部５１が読み取ったカード図柄情報７１ｂに基づいて代理カード８に図柄を印刷する。フラッシュメモリ４４は、オリジナルカード７のカードＩＤ７１ａと代理カード８のカードＩＤ８１ａとを対応させたオリジナル／代理対応情報４４ａを記憶する。また、カード印刷消去部４８は、カード印刷部４７により代理カード８に印刷された図柄を消去する手段である。
【００５７】
また、図柄印刷処理の別の実施形態として、オリジナルカード７のμチップ７１にカードＩＤ７１ａ及びカード種類情報７１ｂを記録するようにしてもよい。この場合、ＲＯＭ４２にはオリジナルカード７のカード種類に対応する図柄を記憶しておく。μチップ読取部５１は、オリジナルカード７のカードＩＤ７１ａ及びカード種類情報７１ｂを読み取り、μチップ読取部４６は、代理カード８のカードＩＤ８１ａを読み取る。カード印刷部４７は、オリジナルカード７のカード種類に対応する図柄をＲＯＭ４２から取得して代理カード８に印刷する。
【００５８】
また、代理カード発行装置４は、オリジナルカード７を保管する各トレイ収納部４９を、個別に施錠あるいは開錠するためのロック手段５２１〜５２ｎ（以下、ロック手段５２で代表する）を備え、オリジナルカード７を取り出せないようにしている。代理カード発行装置４は、オリジナルカード７のカードＩＤ７１ａとそのトレイ収納部４９とを対応させてフラッシュメモリ４４に記憶し、代理カード８のカードＩＤ８１ａからフラッシュメモリ４４を参照してオリジナルカード７を保管するトレイ収納部４９を検索し、検索したトレイ収納部４９に対応するロック手段５２を開錠する。このロック手段５２の制御はＣＰＵ４１を含む制御部によって実行される。
【００５９】
図６（Ｂ）に示すカードチェック装置６において、ＣＰＵ６１，ＲＯＭ６２，及びＲＡＭ６３は装置全体を制御するための制御部を構成する。カードチェック装置６としての機能を実行するためのカードチェックプログラムがＲＯＭ６２に格納されており、当該プログラムはＣＰＵ６１によりＲＡＭ６３に読み出されて実行される。また、通信Ｉ／Ｆ６４は、代理カード発行装置４と接続するための手段である。
【００６０】
カード収納部６６は、オリジナルカード及び／又は代理カードを複数枚収納可能とし、μチップ読取部６７は収納されたカードのμチップ（カードＩＤ）を読み取る。ここで、代理カードを発行したオリジナルカードは、代理カード発行装置４が備えるトレイ収納部４９に収納されているため、装置外には存在しないことになる。そこで、フラッシュメモリ６５は、代理カードを発行したオリジナルカードのカードＩＤを無効ＩＤ６５ａとして記憶すると共に、発行された代理カードのカードＩＤとオリジナルカードのカード種類を対応付けた有効代理ＩＤ／カード種類６５ｂを記憶しておく。この有効代理ＩＤ／カード種類６５ｂは代理カード発行装置４から取得されるオリジナル／代理対応情報４４ａに基づいて作成するようにしてもよい。
【００６１】
カードチェック装置６は、μチップ読取部６７が読み取ったオリジナルカードのカードＩＤとフラッシュメモリ６５に記憶されているオリジナルカードのカードＩＤ（無効ＩＤ６５ａ）とを比較し、その結果、両者が一致した場合にエラー処理を行う手段とを備え、オリジナルデータが不正にコピーされてないかどうかをチェックすることができる。尚、本実施形態のカードチェック装置５は、代理カードを発行したオリジナルカードのカードＩＤ（無効ＩＤ６５ａ）がフラッシュメモリ６５に記憶されていればよく、必ずしも有効代理ＩＤ／カード種類６５ｂを記憶する必要はない。
【００６２】
図７は、図６（Ａ）に示した代理カード発行装置４の代理カード発行処理及び返却処理の一例を説明するためのフロー図である。図７（Ａ）は図６（Ａ）に示した代理カード発行装置４の代理カード発行処理のフロー、図７（Ｂ）は図６（Ａ）に示した代理カード発行装置４の代理カード返却処理のフローを示す。
【００６３】
図７（Ａ）において、まず、代理カード発行装置４は、オリジナルカードを収納するための空トレイが閉じているかどうかを判定し（ステップＳ４１）、空トレイが閉じている場合（ＹＥＳの場合）、オリジナルカードのμチップを読み取り（ステップＳ４２）、その読取結果に基づいてオリジナルカードがセットされているかどうかを判定し（ステップＳ４３）、オリジナルカードがセットされている場合（ＹＥＳの場合）、代理カードのμチップを読み取る（ステップＳ４４）。また、上記ステップＳ４１において、空トレイが閉じていない場合（ＮＯの場合）、上記ステップＳ４３において、オリジナルカードがセットされていない場合（ＮＯの場合）、ステップＳ４１に戻り処理を繰り返す。
【００６４】
次に、代理カード発行装置４は、ステップＳ４４の読取結果に基づいて代理カードがセットされているかどうかを判定し（ステップＳ４５）、代理カードがセットされている場合（ＹＥＳの場合）、オリジナルカードと同じ種類の図柄を代理カードに印刷する（ステップＳ４６）。一方、上記ステップＳ４５において、代理カードがセットされていない場合（ＮＯの場合）、ステップＳ４４に戻り処理を繰り返す。次に、印刷処理が正常に終了したかどうかを判定し（ステップＳ４７）、印刷処理が正常に終了した場合（ＹＥＳの場合）、オリジナルカードが収納されているトレイをロック（施錠）し（ステップＳ４８）、オリジナルカードと代理カードの対応をフラッシュメモリ４４に記憶する（ステップＳ４９）。また、上記ステップＳ４７において、印刷処理にエラーが発生した場合（ＮＯの場合）、上記ステップＳ４６に戻り処理を繰り返す。
【００６５】
図７（Ｂ）において、まず、代理カード発行装置４は、代理カードのμチップを読み取り（ステップＳ５１）、その読取結果に基づいて代理カードかどうかを判定し（ステップＳ５２）、代理カードと判定された場合（ＹＥＳの場合）、オリジナルカードと代理カードの対応をチェックする（ステップＳ５４）。また、上記ステップＳ５２において、代理カードでないと判定された場合（ＮＯの場合）、エラー処理を行う（ステップＳ５６）。
【００６６】
次に、代理カード発行装置４は、ステップＳ５３のチェック結果に基づいてオリジナルカードと代理カードが対応しているかどうかを判定し（ステップＳ５４）、両者が対応している場合（ＹＥＳの場合）、オリジナルカードが収納されているトレイのロックを解除する（ステップＳ５５）。また、上記ステップＳ５４において、両者が対応していない場合（ＮＯの場合）、ステップＳ５６に移行してエラー処理を行う。
【００６７】
次に、代理カード発行装置４は、オリジナルカードを収納するための空トレイが閉まっているかどうかを判定し（ステップＳ５７）、空トレイが閉まっている場合（ＹＥＳの場合）、オリジナルカードのμチップを読み取る（ステップＳ５８）。また、上記ステップＳ５７において、空トレイが開いている場合（ＮＯの場合）、ステップＳ５７に戻り処理を繰り返す。次に、ステップＳ５８の読取結果に基づいてトレイが空かどうかを判定し（ステップＳ５９）、トレイが空の場合（ＹＥＳの場合）、代理カードの図柄を消去する（ステップＳ６０）。また、上記ステップＳ５９において、トレイが空でない場合（ＮＯの場合）、ステップＳ５８に戻り処理を繰り返す。
【００６８】
図８は、本発明の他の実施形態に係る代理カード発行装置及びカードチェック装置の構成例を示す図である。本実施形態の代理カード発行装置４は、ＣＰＵ４１，ＲＯＭ４２，ＲＡＭ４３，フラッシュメモリ４４，代理カード発行／返却部４５，μチップ読取部４６，カード印刷部４７，カード印刷消去部４８，トレイ収納部４９１〜４９ｎ，トレイ５０１〜５０ｎ，ロック手段５２１〜５２ｎ，μチップ読取部５３，通信Ｉ／Ｆ５４を備えている。また、本実施形態のカードチェック装置６は、ＣＰＵ６１，ＲＯＭ６２，ＲＡＭ６３，通信Ｉ／Ｆ６４，フラッシュメモリ６５，カード収納部６６，μチップ読取部６７を備えている。これら代理カード発行装置４とカードチェック装置６はネットワーク等を介して通信可能に接続されている。
【００６９】
本実施形態の代理カード発行装置４において、μチップ読取部５１１〜５１ｎの代わりにオリジナルカードのμチップを読み取るためのμチップ読取部５３を１ヶ所に設け、さらに、通信Ｉ／Ｆ５４を備えている点が図６に示した代理カード発行装置４と異なる。オリジナルカードはμチップ読取部５３により読み取り可能なように代理カード発行装置４にセットされる。カードチェック装置６は、フラッシュメモリ６５に、無効ＩＤ６５ａ及び有効代理ＩＤ／カード種類６５ｂに加えて、さらにデッキ構築制限ルール６５ｃを記憶している点が異なる。このデッキ構築制限ルールとは、対戦に使用するカードでデッキ（カードの束）を構築する際に、デッキに入れることができるカードの種類に対する制限を規定したものである。例えば、２０枚のカードからなるデッキに対して、Ａ種類のカードを５枚、Ｂ種類のカードを５枚、Ｃ種類を１０枚というような制限が規定される。
【００７０】
図８に示すカードチェック装置６において、フラッシュメモリ６５は、図６に示した代理カード８のカードＩＤ８１ａとオリジナルカード７のカード種類情報７１ｂとの対応情報（有効代理ＩＤ／カード種類６５ｂ）、対戦に使用するカードのデッキ構築の制限情報（デッキ構築制限ルール６５ｃ）とを記憶する。この有効代理ＩＤ／カード種類６５ｂは代理カード発行装置４から取得されるオリジナル／代理対応情報４４ａに基づいて作成するようにしてもよい。μチップ読取部６７は、オリジナルカード７のカードＩＤ７１ａ及びカード種類情報７１ｂを読み取り、代理カード８のカードＩＤ８１ａを読み取る。さらに、カードチェック装置６は、μチップ読取部６７が読み取ったオリジナルカード７のカード種類と代理カード８のカードＩＤ８１ａに対応するカード種類とを集計し、集計結果がデッキ構築制限ルール６５ｃに違反した場合にエラー処理を行う手段とを備えている。例えば、デッキを構成するカード種類の枚数が合わないときなどにエラー処理される。
【００７１】
図９は、図８に示した代理カード発行装置４の代理カード発行処理及び返却処理の一例を説明するためのフロー図である。図９（Ａ）は図８に示した代理カード発行装置４の代理カード発行処理のフロー、図９（Ｂ）は図８に示した代理カード発行装置４の代理カード返却処理のフローを示す。
【００７２】
図９（Ａ）において、まず、代理カード発行装置４は、オリジナルカードのμチップを読み取り（ステップＳ６１）、その読取結果に基づいてオリジナルカードがセットされているかどうかを判定し（ステップＳ６２）、オリジナルカードがセットされている場合（ＹＥＳの場合）、空トレイのロックを解除する（ステップＳ６３）。また、上記ステップＳ６２において、オリジナルカードがセットされていない場合（ＮＯの場合）、ステップＳ６１に戻り処理を繰り返す。次に、オリジナルカードを収納するための空トレイが閉じているかどうかを判定し（ステップＳ６４）、空トレイが閉じている場合（ＹＥＳの場合）、代理カードのμチップを読み取る（ステップＳ６５）。また、上記ステップＳ６４において、空トレイが閉じていない場合（ＮＯの場合）、当該処理を繰り返す。
【００７３】
次に、代理カード発行装置４は、ステップＳ６５の読取結果に基づいて代理カードがセットされているかどうかを判定し（ステップＳ６６）、代理カードがセットされている場合（ＹＥＳの場合）、オリジナルカードと同じ種類の図柄を代理カードに印刷する（ステップＳ６７）。一方、上記ステップＳ６６において、代理カードがセットされていない場合（ＮＯの場合）、ステップＳ６５に戻り処理を繰り返す。次に、印刷処理が正常に終了したかどうかを判定し（ステップＳ６８）、印刷処理が正常に終了した場合（ＹＥＳの場合）、オリジナルカードが収納されているトレイをロック（施錠）し（ステップＳ６９）、オリジナルカードと代理カードの対応をフラッシュメモリ４４に記憶する（ステップＳ７０）。また、上記ステップＳ６８において、印刷処理にエラーが発生した場合（ＮＯの場合）、上記ステップＳ６５に戻り処理を繰り返す。
【００７４】
図９（Ｂ）において、まず、代理カード発行装置４は、代理カードのμチップを読み取り（ステップＳ７１）、その読取結果に基づいて代理カードかどうかを判定し（ステップＳ７２）、代理カードと判定された場合（ＹＥＳの場合）、オリジナルカードと代理カードの対応をチェックする（ステップＳ７３）。また、上記ステップＳ７２において、代理カードでないと判定された場合（ＮＯの場合）、エラー処理を行う（ステップＳ７４）。
【００７５】
次に、代理カード発行装置４は、ステップＳ７３のチェック結果に基づいてオリジナルカードと代理カードが対応しているかどうかを判定し（ステップＳ７５）、両者が対応している場合（ＹＥＳの場合）、オリジナルカードが収納されているトレイのロックを解除する（ステップＳ７６）。また、上記ステップＳ７５において、両者が対応していない場合（ＮＯの場合）、ステップＳ７４に移行してエラー処理を行う。
【００７６】
次に、代理カード発行装置４は、オリジナルカードを収納するための空トレイが閉まっているかどうかを判定し（ステップＳ７７）、空トレイが閉まっている場合（ＹＥＳの場合）、代理カードの図柄を消去する（ステップＳ７８）。また、上記ステップＳ７７において、空トレイが閉まっていない場合（ＮＯの場合）、当該処理を繰り返す。
【００７７】
図１０は、図６（Ｂ）に示したカードチェック装置６のデータ取得処理及びカードチェック処理の一例を説明するためのフロー図である。図１０（Ａ）は図６（Ｂ）に示したカードチェック装置６のデータ取得処理のフロー、図１０（Ｂ）は図６（Ｂ）に示したカードチェック装置６のカードチェック処理のフローを示す。
【００７８】
図１０（Ａ）において、カードチェック装置６は、オリジナル／代理対応情報を代理カード発行装置４から受信し（ステップＳ８１）、オリジナルカードのＩＤが無効であることを示す無効ＩＤ６５ａをフラッシュメモリ６５に登録し（ステップＳ８２）、代理カードのカードＩＤとオリジナルカードのカード種類との対応を示す有効代理ＩＤ／カード種類６５ｂをフラッシュメモリ６５に登録する（ステップＳ８３）。
【００７９】
図１０（Ｂ）において、カードチェック装置６は、カード収納部６６に収納されたカードのμチップを読み取り（ステップＳ９１）、その読取結果に基づいてオリジナルカードであるかどうかを判定し（ステップＳ９２）、オリジナルカードでないと判定された場合（ＮＯの場合）、そのカード（代理カード）のＩＤが有効ＩＤであるかを判定し（ステップＳ９３）、有効ＩＤと判定された場合（ＹＥＳの場合）、その代理カードの有効代理ＩＤと対応するカード種類をフラッシュメモリ６５から検索し（ステップＳ９４）、対応している場合（ＹＥＳの場合）、そのまま終了し、対応していない場合（ＮＯの場合）、エラー処理を行う（ステップＳ９８）。
【００８０】
一方、ステップＳ９２において、オリジナルカードと判定された場合（ＹＥＳの場合）、そのオリジナルカードのカードＩＤが有効ＩＤかどうかをフラッシュメモリ６５の無効ＩＤ６５ａから判定し（ステップＳ９６）、有効ＩＤではない、すなわち無効ＩＤと判定された場合（ＮＯの場合）、ステップＳ９８に移行してエラー処理を行う。また、上記ステップＳ９６において、有効ＩＤと判定された場合（ＹＥＳの場合）、カード種類違反かどうかをフラッシュメモリ６５のデッキ構築制限ルール６５ｃから判定し（ステップＳ９７）、カード種類違反と判定された場合（ＹＥＳの場合）、ステップＳ９８に移行してエラー処理を行う。また、上記ステップＳ９７において、カード種類違反でないと判定された場合（ＮＯの場合）、そのまま終了する。
【００８１】
図１１は、図８に示したカードチェック装置６のデータ取得処理及びカードチェック処理の一例を説明するためのフロー図である。図１１（Ａ）は図８に示したカードチェック装置６のデータ取得処理のフロー、図１１（Ｂ）は図８に示したカードチェック装置６のカードチェック処理のフローを示す。
【００８２】
図１１（Ａ）において、カードチェック装置６は、オリジナル／代理対応情報を代理カード発行装置４から受信し（ステップＳ１０１）、オリジナルカードのＩＤが無効であることを示す無効ＩＤ６５ａをフラッシュメモリ６５に登録し（ステップＳ１０２）、代理カードのカードＩＤとオリジナルカードのカード種類との対応を示す有効代理ＩＤ／カード種類６５ｂをフラッシュメモリ６５に登録する（ステップＳ１０３）。
【００８３】
図１１（Ｂ）において、カードチェック装置６は、複数カードの一括読み取りを行い（ステップＳ１１１）、カードＩＤのループ処理を開始する（ステップＳ１１２）。読み取ったカードがオリジナルカードかどうかを判定し（ステップＳ１１３）、オリジナルカードと判定された場合（ＹＥＳの場合）、そのオリジナルカードのカードＩＤが無効ＩＤかどうかを判定し（ステップＳ１１４）、無効ＩＤと判定された場合（ＹＥＳの場合）、エラーを記憶する（ステップＳ１１５）。また、上記ステップＳ１１３において、オリジナルカードではない（すなわち代理カード）と判定された場合（ＮＯの場合）、その代理カードのカードＩＤが有効ＩＤかどうかを判定し（ステップＳ１１６）、有効ＩＤではない、すなわち無効ＩＤと判定された場合（ＮＯの場合）、エラーを記憶する（ステップＳ１１９）。また、上記ステップＳ１１６において、有効ＩＤと判定された場合（ＹＥＳの場合）、代理カードのカードＩＤに対応するカード種類を検索し（ステップＳ１１７）、検索したカード種類をカウントし（ステップＳ１１８）、カードＩＤのループを終了する（ステップＳ１２０）。
【００８４】
次に、カードチェック装置６は、カード種類のループを開始する（ステップＳ１２１）。カード種類を集計した結果が制限違反かどうかを判定し（ステップＳ１２２）、制限違反と判定された場合（ＹＥＳの場合）、エラーを記憶し（ステップＳ１２３）、カード種類のループを終了する（ステップＳ１２４）。一方、上記ステップＳ１２２において、制限違反ではないと判定された場合（ＮＯの場合）、ステップＳ１２４に移行してカード種類のループを終了する。
【００８５】
次に、カードチェック装置６は、エラー記憶が有るかどうかを判定し（ステップＳ１２５）、エラー記憶が有る場合（ＹＥＳの場合）、エラー処理を行い（ステップＳ１２６）、エラー記憶がなければ（ＮＯの場合）、そのまま終了する。
【００８６】
図１２は、本発明の代理カード発行装置を有する代理カード発行システムの構成例を示す図である。代理カード発行装置１（又は代理カード発行装置４）は、サーバ装置９とネットワークを介して接続されている。サーバ装置９は、オリジナルカード２のカード種類に対応する図柄を登録したデータベース（ＤＢ）１０にアクセス可能とする。尚、本実施形態ではカードチェック装置６を含む構成として示しているが、カードチェック装置６を含まない構成としてもよい。
【００８７】
図１２に示すシステムにおいて、オリジナルカード２には対戦使用可能・不可情報及びカード種類情報が記録され、代理カード３には代理カード３の対戦使用可能・不可情報を記録可能とする。代理カード発行装置１は、オリジナルカード２のカード種類情報を読み取り、読み取ったカード種類に対応する図柄をサーバ装置９から取得して代理カード３に印刷する印刷する。さらに、オリジナルカード２及び代理カード３に対して対戦使用可能・不可情報の読み取りあるいは書き込みを行う。
【００８８】
また、カードの読み取り専用の別の実施形態として、オリジナルカード２にはカードＩＤ及びカード種類情報が記録され、代理カード３には代理カード３のカードＩＤを記録する。代理カード発行装置１は、オリジナルカード２のカードＩＤ及びカード種類情報を読み取り、代理カード３のＩＤ情報を読み取り、読み取ったオリジナルカード２のカード種類に対応する図柄をサーバ装置９から取得して代理カード３に印刷する。さらに、オリジナルカード２のカードＩＤと代理カード３のカードＩＤとを対応させてサーバ装置９に登録する。このように、サーバ装置を組み込むことで、複数の代理カード発行装置１（又は代理カード発行装置４）の図柄印刷処理や、カードの読取／書込処理を一括管理することができる。
【図面の簡単な説明】
【００８９】
【図１】本発明の一実施形態に係る代理カード発行装置及びカードの構成例を示す図である。
【図２】代理カード発行装置に挿入する前のオリジナルカードと代理カードの状態と、代理カード発行装置から排出した後のオリジナルカードと代理カードの状態の一例を示す図である。
【図３】代理カード発行装置に挿入する前のオリジナルカードと代理カードの状態と、代理カード発行装置から排出した後のオリジナルカードと代理カードの状態の他の例を示す図である。
【図４】図１（Ａ）に示した代理カード発行装置による代理カード発行処理の一例を説明するためのフロー図である。
【図５】図１（Ａ）に示した代理カード発行装置による代理カード回収処理の一例を説明するためのフロー図である。
【図６】本発明の他の実施形態に係る代理カード発行装置、カードチェック装置、及びカードの構成例を示す図である。
【図７】図６（Ａ）に示した代理カード発行装置の代理カード発行処理及び返却処理の一例を説明するためのフロー図である。
【図８】本発明の他の実施形態に係る代理カード発行装置及びカードチェック装置の構成例を示す図である。
【図９】図８に示した代理カード発行装置の代理カード発行処理及び返却処理の一例を説明するためのフロー図である。
【図１０】図６（Ｂ）に示したカードチェック装置のデータ取得処理及びカードチェック処理の一例を説明するためのフロー図である。
【図１１】図８に示したカードチェック装置のデータ取得処理及びカードチェック処理の一例を説明するためのフロー図である。
【図１２】本発明の代理カード発行装置を有する代理カード発行システムの構成例を示す図である。
【符号の説明】
【００９０】
１，４…代理カード発行装置、２，７…オリジナルカード、３，８…代理カード、６…カードチェック装置、９…サーバ装置、１０…ＤＢ、１１，４１，６１…ＣＰＵ、１２，４２，６２…ＲＯＭ、１３，４３，６３…ＲＡＭ、１４…オリジナルカード装着部、１５，１７…μチップＲ／Ｗ部、１６…代理カード装着部、１８，４７…カード印刷部、１９，４８…カード印刷消去部、２１，３１，７１，８１…μチップ、２１ａ，３１ａ…対戦使用可能・不可情報、２１ｂ…カード図柄情報、２１ｃ，３１ｃ…対戦使用可能情報、２１ｄ，３１ｂ…対戦使用不可情報、３２…図柄、４４，６５…フラッシュメモリ、４４ａ…オリジナル／代理対応情報、４５…代理カード発行／返却部、４６，５１１〜５１ｎ，５３，６７…μチップ読取部、４９１〜４９ｎ…トレイ収納部、５０１〜５０ｎ…トレイ、５２１〜５２ｎ…ロック手段、５４，６４…通信Ｉ／Ｆ、６５ａ…無効ＩＤ、６５ｂ…有効代理／カード種類、６６…カード収納部、７１ａ，８１ａ…カードＩＤ、７１ｂ…カード種類（又はカード図柄）情報、６５ｃ…デッキ構築制限ルール。
【図１】
2006094878.tif 000003
【図２】
2006094878.tif 000004
【図３】
2006094878.tif 000005
【図４】
2006094878.tif 000006
【図５】
2006094878.tif 000007
【図６】
2006094878.tif 000008
【図７】
2006094878.tif 000009
【図８】
2006094878.tif 000010
【図９】
2006094878.tif 000011
【図１０】
2006094878.tif 000012
【図１１】
2006094878.tif 000013
【図１２】
2006094878.tif 000014